(57)【要約】  電子プレゼンテーションシステムおよび方法は、プレゼンテーション資料のための複合ディスプレイ画面を提供し、また、プレゼンテーション資料を恒久的に変更しないプレゼンテーション資料への動的注釈を可能にする。マルチウィンドウディスプレイインターフェイスにおいて、現在表示されるスライドもしくは次に表示されるスライドは、容易に注釈を付され、もしくはその他の方法で修正されることができる。したがって、プレゼンテーション資料を、任意のディスプレイ画面へ容易に案内することができ、任意の注釈は、将来用いるために保存されても、単に削除されてもよい。
2008507776.tif 000002
【特許請求の範囲】
【請求項１】
プレゼンテーション制御インターフェイスを中央ディスプレイ画面に提供するステップと；
複数のスライドの中からスライドを、前記プレゼンテーション制御インターフェイス内のプレビューウィンドウに表示するステップと；
前記プレゼンテーション制御インターフェイスを介して、前記スライドを右側ディスプレイ画面もしくは左側ディスプレイ画面のどちらに導くかを示す入力を受信するステップと；
指示されたディスプレイ画面に表示するために前記スライドを送るステップと；
前記プレゼンテーション制御インターフェイス内の前記プレビューウィンドウの前記スライドと同時に、前記右側ディスプレイ画面に現在表示される任意のスライドに対応する第１のウィンドウと、前記左側ディスプレイ画面に現在表示される任意のスライドに対応する第２のウィンドウを表示するステップであって、前記スライドを表示のために送る前に１つ以上の注釈を前記スライドに加えるステップと、
から構成される、複合ディスプレイ画面を用いて複数のスライドの電子プレゼンテーションを提供する方法。
【請求項２】
前記１つ以上の注釈を加えるステップは、前記スライドにマークして前記スライドが修正されるべきであることを示すステップを含むことを特徴とする、請求項１に記載の方法。
【請求項３】
前記１つ以上の注釈のうちの少なくともいくつかは、前記プレビューウィンドウ内で可視であるが、前記スライドが表示のために送られた後、前記指示されたディスプレイ画面上では不可視であることを特徴とする、請求項１に記載の方法。
【請求項４】
前記１つ以上の注釈のうちの少なくともいくつかは、前記プレビューウィンドウ内で可視であり、前記スライドが表示のために送られた後、前記指示されたディスプレイ画面上で可視であることを特徴とする、請求項１に記載の方法。
【請求項５】
前記スライドが表示のために送られた後、前記スライドにさらなる注釈を加えるステップをさらに含む、請求項１に記載の方法。
【請求項６】
前記スライドが前記右側ディスプレイ画面に送られる場合、前記スライドを右側ビデオデータとして出力するステップと；
前記スライドが前記左側ディスプレイ画面に案内される場合、前記スライドを左側ビデオデータとして出力するステップと；
前記プレゼンテーション制御インターフェイスを介して、第１のウィンドウと第２のウィンドウのうちの一方を選択するステップと；
前記プレゼンテーション制御インターフェイスから離れて配置される装置から入力を受信するステップと；
前記選択されたウィンドウが前記右側ディスプレイ画面に対応する場合、前記受信した入力に基づいて前記右側ビデオデータを調整するステップと；
前記選択されたウィンドウが前記左側ディスプレイ画面に対応する場合、前記受信した入力に基づいて前記左側ビデオデータを調整するステップと
をさらに含む、請求項１に記載の方法。
【請求項７】
プログラム可能なコンピュータによってアクセス可能な第１のメモリに格納された複数のプレゼンテーションスライドと；
前記プログラム可能なコンピュータに連結され、第１のビデオ入力信号を有する第１の
ディスプレイ画面と；
前記プログラム可能なコンピュータに連結され、第２のビデオ入力信号を有する第２のディスプレイ画面と；
前記プログラム可能なコンピュータに連結され、第３のビデオ入力信号を有する第３のディスプレイ画面と；
前記プログラム可能なコンピュータによってアクセス可能な第２のメモリに格納されたプレゼンテーション制御アプリケーションと、から構成され、
前記プログラム可能なコンピュータは、前記プレゼンテーション制御アプリケーションを実行し、それによって複数のスライドのそれぞれが、前記第１もしくは第２のディスプレイ画面のいずれかに表示のために送られる、前記第３のディスプレイ画面に表示されるインターフェイスを提供するように構成され、前記インターフェイスは
前記第１のビデオ入力信号に対応する第１の画像を表示する第１のウィンドウと、
前記第２のビデオ信号に対応する第２の画像を表示する第２のウィンドウと、
次のプレゼンテーションスライドの画像を表示する第３のウィンドウと、
を同時に表示するように構成されることを特徴とし；
前記プレゼンテーション制御アプリケーションは、前記プログラム可能なコンピュータと連動して、入力装置から受信する入力に基づいて前記次のプレゼンテーションスライドを修正するようにさらに構成される、
電子プレゼンテーションを提供するシステム。
【請求項８】
前記入力が、前記次のプレゼンテーションスライドが修正されるべきであることを示すことを特徴とする、請求項７に記載のシステム。
【請求項９】
前記入力が、前記次のプレゼンテーションスライドに加えるべき１つ以上の注釈を含むことを特徴とする、請求項７に記載のシステム。
【請求項１０】
前記１つ以上の注釈のうちの少なくともいくつかは、前記インターフェイス内で可視であるが、前記次のプレゼンテーションスライドが表示のために前記ディスプレイ画面のうちの１つに送られる時に不可視であることを特徴とする、請求項９に記載のシステム。
【請求項１１】
前記１つ以上の注釈のうちの少なくともいくつかは、前記インターフェイス内で可視であり、また前記次のプレゼンテーションスライドが表示のために前記ディスプレイ画面のうちの１つに送られる時に可視であることを特徴とする、請求項９に記載のシステム。
【請求項１２】
プレゼンテーション制御インターフェイスを中央ディスプレイ画面に提供するステップと；
複数のスライドの中からスライドを、前記プレゼンテーション制御インターフェイス内のプレビューウィンドウに表示するステップと；
前記プレゼンテーション制御インターフェイスを介して、前記スライドを右側ディスプレイ画面もしくは左側ディスプレイ画面のどちらに導くかを示す入力を受信するステップと；
指示されたディスプレイ画面に表示のために前記スライドを送るステップと；
第１のオペレーティングモードにおいて、前記プレゼンテーション制御インターフェイス内の前記プレビューウィンドウの前記スライドと同時に、前記右側のディスプレイ画面に現在表示される任意のスライドに対応する第１のウィンドウと、前記左側のディスプレイ画面に現在表示される任意のスライドに対応する第２のウィンドウを表示するステップと；
前記プレビューウィンドウ、前記第１のウィンドウ、前記第２のウィンドウのうちの任意のものの中で選択されたスライドを修正するように構成された、前記プレゼンテーション制御インターフェイス内に一連の注釈ツールを提供するステップと、
から構成される、複合ディスプレイ画面を用いて複数のスライドの電子プレゼンテーションを提供する方法。
【請求項１３】
前記一連の注釈ツールを用いることが、複数の注釈を前記選択されたスライドに加えるように構成されることを特徴とする、請求項１２に記載の方法。
【請求項１４】
前記一連の注釈ツールが、１つ以上の注釈を選択するように構成されることを特徴とする、請求項１３に記載の方法。
【請求項１５】
前記一連の注釈ツールが、前記複数の注釈のうち１つ以上を削除するように構成されることを特徴とする、請求項１３に記載の方法。
【請求項１６】
前記一連の注釈ツールが、前記複数の注釈のうち１つ以上を移動するように構成されることを特徴とする、請求項１３に記載の方法。
【請求項１７】
前記一連の注釈ツールが、前記選択されたスライドから前記注釈を連続的に削除するように、また任意に前記削除された注釈の１つ以上を前記選択されたスライドに削除の逆順で復元するように構成されることを特徴とする、請求項１３に記載の方法。
【請求項１８】
前記一連の注釈ツールが、前記選択されたスライドの部分を強調表示する少なくとも２つの別々のツールから構成されることを特徴とする、請求項１２に記載の方法。
【請求項１９】
前記一連の注釈ツールが、前記選択されたスライド上に動作可能に表示される２つの反対側を向いた矢印を含むことを特徴とする、請求項１２に記載の方法。
【請求項２０】
前記一連の注釈ツールが、前記選択されたスライド上に矢印を描くように構成されたツールを含むことを特徴とする、請求項１２に記載の方法。
【請求項２１】
前記矢印を描くツールが、編集可能なテキストウィンドウを矢印と関連づけるようにさらに構成されることを特徴とする、請求項２０に記載の方法。
【請求項２２】
前記受信した入力に基づき、前記スライドを表示のために、前記右側ディスプレイ画面と前記左側ディスプレイ画面の両方に同時に送るステップをさらに含む、請求項１２に記載の方法。
【請求項２３】
前記プレビューウィンドウ、前記第１のウィンドウ、もしくは前記第２のウィンドウのいずれかに、編集可能なページを開くステップと；
前記プレゼンテーション制御インターフェイスを介して、前記編集可能なページと関連づけるラベルを示すさらなる入力を受信するステップと；
前記編集可能なページを、前記プレゼンテーション制御インターフェイスによってアクセス可能なフォーマットで格納するステップと、
をさらに含む、請求項１２に記載の方法。
【請求項２４】
前記格納するステップは、
複数のフォーマットの中からフォーマットタイプを選択するステップと；
前記編集可能なページを前記選択されたフォーマットタイプに変換するステップと、
をさらに含むことを特徴とする、請求項２３に記載の方法。
【請求項２５】
第１のＰＤＦスライドが、前記第１のウィンドウに表示され、第２のＰＤＦスライドが、前記第２のウィンドウに表示されることを特徴とする、請求項１２に記載の方法。
【請求項２６】
第２のオペレーティングモードにおいて、前記プレゼンテーション制御インターフェイス内に、前記第１のウィンドウもしくは前記第２のウィンドウのうちの一方のほぼフル画面のディスプレイを表示するステップと；
入力を受信して前記第１および第２のオペレーティングモードの間で切り替えるステップであって、どちらのオペレーティングモードにおいても、前記プレゼンテーション制御インターフェイスを介してユーザが利用可能である複数のインターフェイス要素が、ほぼ同様の位置および配置で提示されることを特徴とするステップと、
をさらに含む、請求項１２に記載の方法。
【請求項２７】
プログラム可能なコンピュータによってアクセス可能な第１のメモリに格納された複数のプレゼンテーションスライドと；
前記プログラム可能なコンピュータに連結され、第１のビデオ入力信号を有する第１のディスプレイ画面と；
前記プログラム可能なコンピュータに連結され、第２のビデオ入力信号を有する第２のディスプレイ画面と；
前記プログラム可能なコンピュータに連結され、第３のビデオ入力信号を有する第３のディスプレイ画面と；
前記プログラム可能なコンピュータによってアクセス可能な第２のメモリに格納されたプレゼンテーション制御アプリケーションと、から構成され、
前記プログラム可能なコンピュータは、前記プレゼンテーション制御アプリケーションを実行し、それによって複数のスライドのそれぞれが、前記第１もしくは第２のディスプレイ画面のいずれかに表示のために送られる、前記第３のディスプレイ画面に表示されるインターフェイスを提供するように構成され、第１のオペレーティングモードにおいて、前記インターフェイスは、
第１のスライドのための前記第１のビデオ入力信号に対応する第１の画像を表示する第１のウィンドウと、
第２のスライドのための前記第２のビデオ信号に対応する第２の画像を表示する第２のウィンドウと、
次のプレゼンテーションスライドの画像を表示する第３のウィンドウと、
を同時に表示するように構成されることを特徴とし、
前記プレゼンテーション制御アプリケーションは、前記インターフェイス内で、前記第１のスライド、前記第２のスライド、前記次のプレゼンテーションスライドのうちの選択されたスライドを修正する一連の注釈ツールを提供するようにさらに構成される、
電子プレゼンテーションを提供するシステム。
【請求項２８】
前記一連の注釈ツールが、選択をするように、また複数の注釈を同時に操作するように構成されることを特徴とする、請求項２７に記載のシステム。
【請求項２９】
前記インターフェイスが、特定のスライドを表示のために前記第１および第２のディスプレイ画面の両方に同時に送るようにさらに構成されることを特徴とする、請求項２７に記載のシステム。
【請求項３０】
第２のオペレーティングモードにおいて、前記インターフェイスが、どちらのオペレーティングモードにおいても、前記インターフェイスを介してユーザが利用可能である複数のインターフェイス要素がほぼ同様の位置および配置で提示されるように、前記第１のウィンドウもしくは前記第２のウィンドウの一方のほぼフル画面の表示を表示するように構成されることを特徴とする、請求項２７に記載のシステム。
【発明の詳細な説明】
【技術分野】
【０００１】
発明の分野
本発明は、グループプレゼンテーションシステムおよび方法に関し、より具体的には、複合画面を有する電子プレゼンテーションシステムおよび方法に関する。
【背景技術】
【０００２】
発明の背景
教育もしくはトレーニングの環境におけるような、比較的小さなグループにプレゼンテーションをする従来の方法の１つは、オーバーヘッドプロジェクタおよびビューフォイルもしくはトランスパレンシーの使用を含む。このなじみ深い方法によると、発表者は一連のビューフォイルを有しており、これらは、所定の順序でオーバーヘッドプロジェクタ上に手動で乗せられ、次いでそこから取り出される。空白のビューフォイルが挿入されることもあり、発表者がプレゼンテーションの間に動的に資料を提示することが可能になる一方で、発表者が前もって準備されたビューフォイルに注釈を加える見込みはない。なぜなら、このような注釈は、将来使われるはずのフォイルを損ない得るからである。
【発明の開示】
【発明が解決しようとする課題】
【０００３】
自動化における最近の進歩は、この従来のプレゼンテーションの方法におけるいくつかの欠点に取り組んできた。ある場合において、現在ではコンピュータのビデオ出力は、コンピュータで作ったスライドショーが画面上で、時にはアニメーションと共に見られるように、プロジェクタに接続することができる。しかし、この自動化の導入によって、プレゼンテーション資料および方法の限定された静的性質が変化することはない。
【０００４】
したがって、プレゼンテーションがなされるそれぞれの環境にしたがって容易に修正・拡大できる資料を、発表者が効果的かつ動的に提示できるようにする動的プレゼンテーションシステムおよび方法の必要性が依然として存在している。
【課題を解決するための手段】
【０００５】
発明の要約
本発明は、プレゼンテーション資料のための複合ディスプレイ画面を提供し、またプレゼンテーション資料を恒久的に変更しないプレゼンテーション資料への動的注釈を可能にするシステムおよび方法に関して、これらおよびその他の必要性に取り組むものである。プレゼンテーション資料は、ディスプレイ画面の任意の１つに容易に案内されることができ、任意の注釈は将来用いるために保存されても、もしくは単に削除されてもよい。
【０００６】
本発明の１態様は、電子プレゼンテーションを提供するシステムに関し、システムはたとえば、プログラム可能なコンピュータによってアクセス可能な第１のメモリに格納される複数のプレゼンテーションスライドと；プログラム可能なコンピュータと連結され、第１のビデオ入力信号を有する第１のディスプレイ画面と；プログラム可能なコンピュータと連結され、第２のビデオ入力信号を有する第２のディスプレイ画面と：プログラム可能なコンピュータに連結され、第３のビデオ入力信号を有する第３のディスプレイ画面と、を含む。プレゼンテーションシステムはまた、プログラム可能なコンピュータによってアクセス可能な第２のメモリに格納されるプレゼンテーション制御ソフトウェアアプリケーションを含み、プログラム可能なコンピュータは、プレゼンテーション制御アプリケーションを実行して、それによって複数のスライドのそれぞれが第１もしくは第２のディスプレイ画面のいずれか一方に表示のために送られるところの、第３のディスプレイ画面上に
表示されるインターフェイスを提供するように構成される。第３のディスプレイ画面は、現在の右側画像と、現在の左側画像と、送られるべき次のスライドの画像とを同時に描写する、マルチウィンドウのディスプレイインターフェイスを含む。プレゼンテーション制御システムを用いて、発表者は、右側もしくは左側のいずれかの画像を選択し、その画像のリアルタイムの注釈を行うことができる。
【０００７】
本発明の別の態様は、中心ディスプレイ画面上にプレゼンテーション制御インターフェイスを提供し；複数のスライドの中から１つのスライドを、プレゼンテーション制御インターフェイス内のプレビューウィンドウに表示し；プレゼンテーション制御インターフェイスを介して、スライドを右側ディスプレイ画面もしくは左側ディスプレイ画面のどちらに案内するかを示す入力を受信し；指示されたディスプレイ画面に表示するためにスライドを送り；プレビューウィンドウに表示する次のスライドを検索する、複合ディスプレイ画面を用いて複数のスライドの電子プレゼンテーションを提供するソフトウェアアプリケーションおよび方法に関する。別々の画面上への表示に加えて、プレゼンテーション制御インターフェイスは、中央のディスプレイ画面上の別々のサブウィンドウに、右側からのスライド、左側からのスライド、送られるべき次のプレゼンテーションのスライドを同時に表示する。この中央のディスプレイ画面から、どちらかのスライドを、プレゼンテーションをリアルタイムで修正するために選択し、注釈することができる。
【発明を実施するための最良の形態】
【０００８】
本発明のさらなる態様は、スライドが表示のために送られる前に、スライドに注釈および修正を提供することに関する。したがってスライドは、視聴者に提示される前に、マークされ、もしくは他の方法で注釈される。
【０００９】
本発明は、限定の目的ではなく例示の目的で、添付の図面の図において図解され、上記図面において、同等の参照番号は同様の要素に言及する。
【００１０】
詳細な説明
以下の説明において、本発明の完全な理解を提供するために多数の具体的な詳細を、説明を目的として示す。しかし、当該技術の教育を受けた者にとって、本発明がこれらの具体的な詳細なしに実行されるであろうことは明白であろう。その他の例において、本発明を不必要にあいまいにすることを避けるべく、既知の構造および装置をブロック図で示す。
【００１１】
本発明の多様な実施形態が、以下に提示され、検討される。とりわけ、多くの実施形態が、教育もしくはトレーニングのプレゼンテーションの具体的な環境に関連して説明される。この具体的な環境は、本発明の態様の多くを説明するのに有用である。しかし、本発明はこの具体的な環境のみに限定されるものではなく、複合画面および動的注釈の機能が有利であるところのその他のプレゼンテーション環境を、その範囲の中に意図するものである。
【００１２】
図１は、本発明の１実施形態にしたがった、例となるプレゼンテーションシステム１００を図解する。この実施形態によると、コンピュータシステム１０６は、他の構成要素によって用いられるデータフローおよびプレゼンテーション資料を制御する。とりわけ、コンピュータ１０６は、グラフィカルインターフェイス１２２をモニタ１０４上に提供し、説明者がプレゼンテーションを制御するのを補助する。インターフェイスモニタ１０４に表示されるビデオデータは、コンピュータ１０６のビデオ出力１１６ｂによって提供される。全体として示されてはいないが、コンピュータシステム１０６は、キーボード、大容量記憶装置、ネットワーク、パラレルおよびシリアルインターフェイス、および、典型的なコンピュータシステムの一部として既知であるその他の多くの周辺機器および構成要素
から構成されるという点で、従来のシステムである。
【００１３】
コンピュータシステム１０６はまた、ビデオ出力をそれぞれ左側のプロジェクタ１１４ａおよび右側のプロジェクタ１１４ｂに提供する、別々のビデオ出力１１６ａ、１１６ｃを含む。ビデオ出力は、他の従来のビデオフォーマットと同様に、ＳＶＧＡフォーマットのビデオ信号であることができる。本説明においては、左側／右側とは、説明者から見て、ということである。ビデオ出力１１６ａ、１１６ｃのそれぞれで出力されるビデオデータは、インターフェイス１２２を用いて説明者によって決定される。インターフェイス１２２を用いて、説明者は、コンピュータシステム１０６によってアクセス可能な記憶装置（図示せず）からプレゼンテーション資料を検索し、その資料をビデオ出力１１６ａ、１１６ｃの一方もしくは両方に導く。そしてプロジェクタ１１４ａ、１１４ｂは、それぞれのプレゼンテーション資料をそれぞれの画面１０２ａ、１０２ｂに表示する。
【００１４】
ビデオ出力１１６ａ、１１６ｃは、プロジェクタ１１４ａ、１１４ｂに導かれることに加え、それぞれパス１１８ａ、１１８ｂを介してタッチ画面モニタ１１０ａ、１１０ｂにも導かれる。実際には、画面１０２ａ、１０２ｂがプレゼンテーションを受ける視聴者によって鑑賞されるのに便利であるように配置されるであろう一方、モニタ１１０ａ、１１０ｂは説明者の近くに配置されるであろう。タッチ画面モニタ１１０ａ、１１０ｂはそれぞれ、コンピュータシステム１０６に接続される。図１において、これらの接続１２０ａ、１２０ｂは、シリアル接続として描写されるが、その他の機能的に同等のフィードバック接続パスもまた、本発明によって意図される。これらの接続パスは、他のタイプの入力／出力プロトコルおよびハードウェアであることができ、ＲＳ−２３２シリアル通信パスに限定されない。接続１２０ａ、１２０ｂはまた、それぞれのタッチ画面モニタ１１０ａ、１１０ｂを用いて行われるであろう任意の触覚インタラクションを示す、モニタ１１０ａ、１１０ｂからのフィードバックを提供するのに用いられる。図１はモニタ１１０ａ、１１０ｂのそれぞれについて例となるスタイラス１１２ａ、１１２ｂを描写するが、モニタ１１０ａ、１１０ｂとの触覚インタラクションは、同じスタイラスを用いて、もしくはスタイラスを用いなくても生じることができる。
【００１５】
インターフェイス１２２は、コンピュータ１０６に接続された、キーボード、マウス、もしくはその他の入力装置を用いて、制御することができる。しかし、発表者に、動作および部屋の中の場所におけるいくらかの柔軟性を提供するべく、リモートコントロール装置１０８もまた、１２０ｃでコンピュータシステム１０６に接続され、インターフェイス１２２をも制御する。このリモートコントロール装置１０８は、ＵＳＢ、ファイヤワイヤ、ＩｒＤＡ、シリアルもしくはその他の多くのタイプの入力／出力仕様を用いてコンピュータ１０６に接続する、送信機（およびコンピュータ１０６上に受信機）を含むであろう。さらに、ディスプレイ装置１０４はまた、発表者が触覚により開始されるコマンドを用いてプレゼンテーションを制御することを可能にするタッチ画面装置であることができ、このような装置はそれ自身のフィードバックパス１２４を必要とするであろう。
【００１６】
図１の例示的なプレゼンテーションシステム１００において、コンピュータシステム１０６は、ａ）プレゼンテーション資料を検索し、２つのビデオ出力１１６ａ、１１６ｃのうちの一方に導く（もしくは送る）ために用いられるプレゼンテーションインターフェイス１２２と；ｂ）タッチ画面モニタ１１０ａから触覚フィードバックを受け取り、それにしたがってビデオ出力１１６ａを調整する、左側画面１０２ａのための注釈ツールと；ｃ）タッチ画面モニタ１１０ｂから触覚フィードバックを受信し、それにしたがってビデオ出力１１６ｃを調整する、右側画面１０２ｂのための注釈ツールとを同時に実行することにより、プレゼンテーションの操作を制御する。
【００１７】
ここで説明するその他の実施形態と同様に、上に説明した実施形態において、例示的な
構成要素は本発明の範囲を限定することを意図しない。たとえば、タッチ画面モニタ１１０ａ、１１０ｂは、ＬＣＤディスプレイパネルもしくはその他のタイプのディスプレイを含むことができ；コンピュータ１０６は必ずしもその他の構成要素と共に物理的に配置される必要はなく、ネットワークもしくはその他の長距離配線技術を通じて、プレゼンテーションシステム１００のその他のさまざまな構成要素に接続されていてもよい。
【００１８】
図２は、本発明のより好適な別の実施形態にしたがった、別の例示的なプレゼンテーションシステム２００を図解する。システム２００は、多くの従来の構成要素を用いて、以下に説明する本発明のプレゼンテーションシステムおよび方法を実現している。たとえば、ビデオスイッチ２４０は、統合を容易にするために、それ自身のドライバソフトウェアおよびアプリケーションプログラミングインターフェイス（ＡＰＩ）ルーチンを含む、従来の制御可能な４×４ビデオスイッチであってよい。同様に、モニタ２１２、２３８、２３４は、システム２００のその他の構成要素と容易に統合する、それら自身のドライバソフトウェアおよび補正ルーチンを含む、従来のタッチ画面モニタであってよい。最新のオペレーティングシステム、たとえばコンピュータ２０４上で実行するオペレーティングシステムは、コンピュータ２０４内の複合ビデオカードの操作およびインタラクションを支持するのにオペレーティングシステムの修正が必要でないように、一般的に、複合ビデオディスプレイを規定することを可能にする。
【００１９】
本実施形態において、システム１００と比較して、さらなるビデオディスプレイが可能であり、ビデオスイッチ２４０がさらなる機能を提供するために用いられる。しかし、システム２００の多くの態様は図１のシステム１００のそれらと同様であるため、図２を説明するにあたって、いくつかの特徴の詳細な説明は繰り返さない。
【００２０】
システム２００は、発表者によって用いられ、左側プロジェクタ２３２と右側プロジェクタ２３６を用いてマルチ画面のプレゼンテーションを視聴者に提供する、コンピュータ２０４を含む。発表者は、左側プロジェクタ２３２から提示されている資料を表示する左側画面モニタ２３４と、右側プロジェクタ２３６から提示されている資料を表示する右側画面モニタ２３８と、コンピュータ２０４上で作動するプレゼンテーションソフトウェアアプリケーションにグラフィカルユーザインターフェイスを提供する中央モニタ２１２の、利用可能な３つのモニタを有する。
【００２１】
例示的なシステム２００において、デモンストレーションコンピュータ２１６、デモンストレーションモニタ２０２、およびビデオスプリッタ２１４も存在する。ビデオスプリッタ２１４は、デモンストレーションコンピュータ２１６から、デモンストレーションモニタ２０２とビデオスイッチ２４０の両方に、ビデオ出力２１８を提供する。デモンストレーションコンピュータ２１６は一般的に、発表者の制御下にあり、視聴者によって見られているプレゼンテーション資料をさらに拡大する、もしくは説明する、シミュレーションおよびその他のデモンストレーションを作成するのに用いられることができる。したがって、グラフィカルユーザインターフェイスはまた、視聴者がシミュレーションおよびデモンストレーションの恩恵を受けられるように、発表者が、デモンストレーションコンピュータ２１６のビデオ出力をプロジェクタ２３２、２３６のうちの一方に案内することを可能にする。
【００２２】
ビデオスイッチ２４０は、当業者にとって既知である従来のビデオスイッチであり、入力のうちの１つにおいて受信されたデータ信号を１つ以上のデータ出力に案内するように制御されることができる。図示されるように、ビデオスイッチ２４０は、ａ）２０８（コンピュータ２０４から）；ｂ）２１０（コンピュータ２０４から）；ｃ）２２０（デモンストレーションコンピュータ２１６からビデオスプリッタ２１４を介して）の、少なくとも３つのビデオ信号を受信する。ビデオスイッチ２４０の設定により、これらの多様な出
力信号は次に、以下の１つ以上の出力に案内される：ａ）２２４（左側のプロジェクタ２３２）；ｂ）２２６（左側のモニタ２３４）；ｃ）２２８（右側のプロジェクタ２３６）；およびｄ）２３０（右側のモニタ２３８）。
【００２３】
以前に説明したシステム１００と同様に、図２のシステム２００は、コンピュータ２０４上で実行し、中央のモニタ２１２上に表示するグラフィカルユーザインターフェイスを発表者が用いることを可能にするプレゼンテーションシステムを提供する。このユーザインターフェイスは、発表者が、プレゼンテーション資料を検索し、それらを中央のモニタ２１２上でプレビューし、次に資料を左側のプロジェクタ２３２と右側のプロジェクタ２３６のどちらか一方、もしくは両方に送ることを可能にする。発表者は、視聴者に提示されるものを制御するべく、２つのビデオ出力２０８、２１０のうちの一方から資料を送信し、ビデオスイッチ２４０がその異なるビデオ入力を適切なビデオ出力に案内するようにする、インターフェイスを用いる。
【００２４】
図３に示すように、シリアルパス３１０は、コンピュータ２０４が選択的にビデオスイッチ２４０を設定するための、１つの例示的な方法である。とりわけ、通信リンク３１０を用いて、発表者はプレゼンテーションシステムソフトウェアと対話し、コンピュータ２０４からのコマンドをビデオスイッチ２４０に送信する。このコマンドに基づき、ビデオスイッチ２４０はビデオ入力と出力との間の結合を制御する。
【００２５】
好適な実施形態において、右側モニタ２３８、左側モニタ２３４、および中央モニタ２１２は全て、タッチ画面モニタである。さらに、コンピュータ２０４は、注釈ツール（たとえば、ソフトウェアアプリケーション）の３つのインスタンスを実行しており、注釈ツールの各インスタンスは、モニタ２１２、２３４、２３８のそれぞれに表示されるビデオデータの修正もしくは拡大を可能にする。この拡大されたビデオデータは、現在表示されている任意のプレゼンテーションスライド上に重ねられる。図３に示すように、これらのモニタは、コンピュータ２０４のそれぞれの入力に接続される。図３の例示的なフィードバックパス３０４〜３０８は、それぞれのタッチ画面モニタとの触覚インタラクションによるコンピュータ２０４への応答を提供する、シリアル通信パスとして示される。フィードバックデータは、適切なモニタに表示されるビデオデータを適切に調整するように、注釈ツールの適切なインスタンスに送られる。
【００２６】
操作中、発表者は、右側モニタ２３８に関連する注釈ツールのインスタンスに、オペレーティングシステムの「焦点」をもたらす１つのモニタ、たとえば右側モニタ２３８にタッチするであろう。注釈ツールおよびタッチ画面モニタ２３８を（ドライバソフトウェアと共に）用いて、発表者は、右側プレゼンテーション画面への表示のためにコンピュータ２０４によって出力されているビデオデータ上に重ねることができるテキスト、ボックス、フリーハンドの図、およびその他の注釈を描くことができる。したがって、視聴者は、特定の視聴者の個々の要求に応じてリアルタイムで容易に拡大することができる、静止したプレゼンテーション資料の恩恵を受けることができる。
【００２７】
図４は、コンピュータ２０４の例示的な図を表示する。図示されるように、このコンピュータは、複合入力／出力ポート４０２〜４０８とともに、複合ビデオ出力ポート４１０〜４１４を含むことができる。本発明は図４の特定のコンピュータ配置およびポートのタイプに限定されず、これとは別の機能的に同等である配置もまた意図する。
【００２８】
図５は、本発明の１実施形態にしたがった例示的なプレゼンテーション方法のハイレベルな論理フローチャートを描写する。このフローチャートによると、発表者は、図２に描写されるようなシステムを用いることができ、効果的で動的な複合画面プレゼンテーションを視聴者に提供する。この方法は、実行された時にここに説明するプレゼンテーション
方法を実行する１つ以上のコンピュータ上で動作することができる１つ以上のソフトウェアアプリケーションとして、実施することができる。
【００２９】
ステップ５０２において、利用可能なプレゼンテーションのリストが発表者に提示され、発表者が選択を行うことを可能にする。一旦プレゼンテーションファイルが選択されると、ステップ５０４において、この方法は、選択されたプレゼンテーションを構成するスライドのリストを提供することによって続行する。一旦プレゼンテーションファイルが選択されると、プレゼンテーションシステムは、発表者の制御下で画像を表示する後続のステップに移ることができる。しかし、プレローダは、プレゼンテーションが始まる前に画像および添付のデータファイルがキャッシュに格納されるようにそれらをプレロードする、１つの有用なツールである。操作中、プレローダツールは、発表者の自己判断により、用いても用いなくてもよい；しかし、キャッシュに格納された画像を使用すると、キャッシュに格納されない画像を用いてプレゼンテーションを行う場合と比較して、異なる画面をより速く表示することが可能になる。
【００３０】
ステップ５０６で、スライドの中の第１のスライドは、プレビューウィンドウに自動的に提示されるので、発表者は、次のスライドが何であるかを見ることができ、それがどのように表示されるのが最良であるかを決定できる。この時点で、発表者は、スライドが表示される前に、ステップ５０８で注釈を付けられるべきであることを決定するであろう。
【００３１】
次に、ステップ５１０で、この方法は、発表者が多くの可能な選択肢のうちのどれをプレビュースライドの表示のために選択するかを決定する。たとえば、発表者は、ステップ５１４で、プレビュースライドを左側画面へ送信することを、もしくはステップ５１６で、プレビュースライドを右側画面へ送信することを、選択するであろう。あるいはこの方法は、ステップ５１８で、プレビュースライドをどの画面に自動的に送るかを決定するべくプリファレンスファイルを参照する、自動送り機能を含むことができる。その他の表示オプションは、ステップ５１９で選択することができ、これらのオプションは、左側もしくは右側の画面を消去すること、プレゼンテーション内で１スライド戻ること、現在のプレビュースライドを表示せずにスキップすること、順序外のスライドにジャンプすること、他のプレゼンテーションファイルからスライドにジャンプすること、もしくは空白テンプレートをディスプレイ画面の一方に送信することなどを含むことができる。発表者はまた、ステップ５１２で、デモンストレーションコンピュータの出力を、左側画面（ステップ５２２）もしくは右側画面（ステップ５２４）のどちらかに表示することを選択することができる。発表者はまた、ステップ５２０で、左側画面（ステップ５２６において）もしくは右側画面（ステップ５２８において）のどちらかに表示されるスライドに注釈を付けることを選択することができる。スライドに注釈を付けることにより、発表者は、手近な視聴者にとって適切なカスタマイズされた方法で、プレゼンテーションをインタラクティブに拡大することができる。注釈はそれより後のスライドプレゼンテーションにおいて有用であろうため、また、表示される複数のスライドに注釈を保存するため、この方法のステップ５３０は、将来に使用するために、任意の注釈を保存する。プレゼンテーションスライドを表示する、もしくはそれに注釈を加える発表者の選択に基づき、ステップ５３２は、検索され、プレビューウィンドウに表示される次のスライドをもたらす。ステップ５３４は、プレゼンテーションファイルの最後のスライドが表示されるまで、この方法がステップ５１０からの部分を繰り返すことを表す。この方法の詳細は、スライドプレゼンテーションを制御する特定のインターフェイスおよびソフトウェアアプリケーションに関して、以下に提示される。
【００３２】
図６は、視聴者に対して行われるプレゼンテーションを発表者が制御することを可能にする、コンピュータ２０４上で実行するプレゼンテーションソフトウェアアプリケーションの例示的なスクリーンショット６００を示す。ドロップダウンメニュー、選択ボックス
、アイコン、ディスプレイウィンドウ、ツールバーなどのグラフィカルユーザインターフェイスコンポーネントおよびそれらの操作は、当業者には既知であり、より詳細な説明は行わない。
【００３３】
プレゼンテーションのための基盤は、たとえば、プレゼンテーションファイルとして参照することのできるものの中に共に配置された多数のパワーポイント（登録商標）スライドから成ることができる。その他のスライドフォーマットもまた、本発明の範囲内において意図される。パワーポイント（登録商標）のファイル、もしくはスライドショー、およびそれらの個々のフレームは、コンピュータ２０４のハードディスクドライブに格納することができる。たとえば、プレゼンテーションソフトウェアは、「Ｄ：￥ｃｏｕｒｓｅｓ」などのデフォルトのディレクトリ内でプレゼンテーションファイルを探すように設定することができる。そのディレクトリ内には、プレゼンテーションソフトウェアが自動的にスキャンし、発表者にその選択のために表示する、多数の異なるプレゼンテーションファイルがあるであろう。
【００３４】
１実施形態において、プレゼンテーションシステムはまた、ユーザ定義のプリファレンスデータが任意の１つのプレゼンテーションファイルに関連づけられることを可能にする。このプリファレンスデータは、プレゼンテーションソフトウェアが、プリファレンスファイルをその同様に名づけられたプレゼンテーションファイルに容易に関連づけることができるように、所定の拡張子（たとえば「．ｉｐｆ」）を用いたプリファレンスファイルの形態を取ることができる。好適な実施形態において、プリファレンスファイルは、
＜スライド番号＞、＜方向タグ＞、＜メモリジョガーテキスト＞
の３つのフィールドを有する多数のエントリを含むことができる。
【００３５】
したがって、プリファレンスファイルは、
１４，右，３つの全てのアスペクトに言及する
２，左，
…
１６，右，３人のプログラマについてジョークを言う
と類似することができる。
【００３６】
図示されるように、このような慣例にしたがうことが、いくつかの状況下において役立つとわかるであろうが、スライド番号が番号順である必要はない。さらに、各スライドがエントリを有する必要はなく、各エントリが全てのフィールドにデータを有する必要もない。
【００３７】
あるいは、プリファレンス情報は、プレゼンテーションファイル自身のスライドに含まれていてもよい。パワーポイント（登録商標）スライドの「ノート」セクション、もしくはその他のプレゼンテーションファイルフォーマットの同様の機能を用いれば、プリファレンス情報を別々のプリファレンスファイルに格納する必要はなく、プレゼンテーションファイルに含むことができる。
【００３８】
プレゼンテーションソフトウェアインターフェイスは、発表者がプレゼンテーションを選択するのを補助するドロップダウンボックス６１６を提供する。図６において、たとえば、発表者は、１実施形態において重要であり得、プレゼンテーションがレッスン５０３のチャプター００に関連することを示すことができる「５０３−ＣＨ００ＵＳ」という名のファイルを選択した。このファイルは、パワーポイント（登録商標）ファイル「５０３−Ｃｈ００ＵＳ．ｐｐｔ」としてハードドライブに格納されるであろう。好適な実施形態において、選択されたプレゼンテーションの第１のスライドは、プレビューウィンドウ６０２に自動的に表示される。
【００３９】
ウィンドウ６１２は、選択されたプレゼンテーションファイルの中の１３のスライドおよびそれぞれのタイトルを示す。１つのスライドタイトル６１４は、選択されて（反転表示によって示されるように）示され、このスライド６０４はプレビューウィンドウ６０２に表示される。このウィンドウ６０２から、発表者はスライド６０４をコンピュータ２０４の一方のビデオ出力に案内する（もしくは送る）ことができる。
【００４０】
画面６００が表示されるところのモニタは、タッチ画面モニタ２１２であってよいが、発表者はまた、触覚入力に加え、キーボードもしくはマウスを用いてプレゼンテーションソフトウェアのインターフェイスと対話することもできる。
【００４１】
画面６００に、プレビュースライド６０４の送り先を決定する３つのアイコンがある。「送り先」の用語は、スライドが、左もしくは右のどちらかの画面に表示されるように、コンピュータ２０４のどのビデオ出力に送信されるかに言及する。１実施形態によると、ビデオスイッチのセットアップおよびケーブル接続は、図２に示されるような所定の方法で構成される。プレゼンテーションソフトウェアはこの所定の構成について知っており、それ自身、どのアイコンが発表者によって選択されたかに基づき、スライドを適切なビデオ出力に提供するように構成される。具体的なケーブル接続は、プレゼンテーションソフトウェアがそれにしたがってビデオ出力を案内するように構成される限りにおいて、図２に示されるものと異なってよい。
【００４２】
アイコン６２０は、プレゼンテーションソフトウェアがプレビュースライド６０４を左側の画面に送信するようにし、一方、アイコン６４４は、プレゼンテーションソフトウェアがプレビュースライド６０４を右側の画面に送信するようにする。プレビュースライド６０４が、関連するプリファレンスファイルにおいて規定される方向プリファレンスを有する場合、アイコン６３２はアクティブになり、そのアイコン６３２を選択することで、発表者は、プリファレンスファイルにある方向プリファレンスに基づき、スライドを好適な画面に送信することができる。一旦、プレビュースライド６０４が表示のために適切な画面に送信されると、プレゼンテーションソフトウェアは、ウィンドウ６０２内の一連のスライドの中から次のスライドを自動的に表示する。プリファレンスタグは、自動アイコン６３２の代わりにアイコン６２０もしくは６４４のどちらかを用いることで無効にされてよい。ウィンドウ６１８は、任意のメモリジョガーテキストをプリファレンスファイルから表示し、発表者のプレゼンテーションを補助するのに用いられる。
【００４３】
本発明の１実施形態によると、プリファレンスファイルにおけるスライドのエントリは、「左右」などの方向エントリを有することができる。この二重エントリは、両方のスライドが実質的に同時に表示されたように見えるよう、１つのスライドを左側の画面に自動的に表示し、そして次のスライドを右側の画面に表示する効果を有するであろう。結果として、最終的な新しいプレビュースライドは、最初のプレビュースライドから取り出された２つである。
【００４４】
スライドは、ディスプレイウィンドウ６１２からのシーケンスから選択され、次にプレビューウィンドウ６０２に表示されることができる。
【００４５】
インターフェイス画面６００はまた、「戻る」アイコン６３０および「進む」アイコン６３４を提供する。アイコン６３０は、発表者がプレビューウィンドウ６０２内で逆方向に進むことを可能にし、アイコン６３４は、現在のプレビュースライド６０４がスキップされ、プレゼンテーションにおける次のスライドがプレビューウィンドウ６０２内に表示されることを可能にする。
【００４６】
アイコン６２６と６３８はそれぞれ、スライドがディスプレイ画面で上方にスライドされるように見えることを可能にする、左側画面と右側画面の「スライドジョグ」機能を提供する。この働きは、ビューフォイルの下半分が強調されるように、フォイルをプロジェクタ上で上方にスライドする発表者の従来の動作を模倣している。これらのアイコンは、アイコンの次の選択が、スライドの通常のプレゼンテーションとスライドの「ジョグされた」プレゼンテーションとの間で反転するように、トグルとしての役目を果たす。
【００４７】
一方もしくは他方の画面に生徒たちを集中させるため、またプレゼンテーションにおけるさらなる理由のため、プレゼンテーションソフトウェアインターフェイスは、左側のディスプレイを消去するアイコン６２４と、右側のディスプレイを消去するアイコン６４０とを提供する。これらのアイコンの一方を選択することによってもまた、「消去されない」適切な表示がもたらされるであろう。
【００４８】
図２の環境に示されるように、デモンストレーションコンピュータ２１６からのビデオ出力は、ビデオスイッチ２４０に提供される。プレゼンテーションソフトウェアは、通信リンク３１０を介してビデオスイッチ２４０を適切に制御することによって、ディスプレイプロジェクタ２３２、２３６の一方への、このビデオ出力の表示をもたらすことができる。発表者がデモンストレーションコンピュータ２１６からの出力を左側のプロジェクタに導きたい時、アイコン６２８が選択される。この選択によって、プレゼンテーションソフトウェアはビデオスイッチ２４０を制御して、ビデオ信号２１８は左側の画面に表示される。右側のプロジェクタ２３６での同様の機能が、アイコン６３６を用いて得られる。アイコン６２８、６３６のうちのどちらかの第２の選択によって、デモンストレーションコンピュータ２１６からの出力の代わりに、表示されるスライドはそれぞれの画面に復元されるであろう。ビデオスイッチ２４０の用いられない第４の入力を活用する、第２のデモンストレーションコンピュータを、含むことができる。このような代替において、ビデオスイッチ２４０の手動制御は、適切なビデオ信号ルーティングを選択するのに有用であることがわかる。
【００４９】
ボタン６５０、６５２をそれぞれ用いて、左側もしくは右側のディスプレイ画面に表示される現在のスライドを、ウィンドウ６１０に表示される「お気に入り」リストに加えることができる。
【００５０】
このリストは、「ｆａｖｏｒｉｔｅｓ．ｆｖｔ」などの何か意味のある名前をつけられ、デフォルトのディレクトリ「Ｄ：￥ｃｏｕｒｓｅｓ」に位置することができる。その他のファイル名および位置を用いることもできる。
【００５１】
好適な実施形態において、ファイルのフォーマットは：
＜プレゼンテーションファイル＞、＜スライド番号＞：＜説明文＞
である。
したがって、１つのエントリは：
４０９−Ｃｈ０５，１４：フリースレッド
に類似し、これは、プレゼンテーションファイル４０９−Ｃｈ０５．ｐｐｔ（たとえば、パワーポイント（登録商標）のスライドが用いられている場合）の１４番目のスライドを参照する。説明文は任意のテキストであってよいが、スライドタイトルが１つの有用な例である。
【００５２】
ボタン６５０もしくは６５２のどちらかを選択することにより、新しいエントリがお気に入りファイルに付加され、もしくは他の方法でそれに挿入される。好適な実施形態において、このファイルは、さまざまなプレゼンテーションファイル間で有用であり、特定のプレゼンテーションファイルに特有のものではない。発表者は、ウィンドウ６１２からス
ライドが選択されたのと同様の方法で、ウィンドウ６１０からスライドを選択する。１つの相違点は、プレゼンテーションソフトウェアが、参照されるプレゼンテーションファイルを開き、適切なスライドを展開し、それをプレビューウィンドウ６０２に表示する必要があることである。スライドは次に、それぞれアイコン６２０および６４４を用いて、左側もしくは右側の画面に送られてもよい。一旦スライドが送られると、プレゼンテーションは、プレビューウィンドウ６０２に配置する次のスライドを選択するために、オリジナルのプレゼンテーションファイル内のスライド位置に戻る。
【００５３】
プレゼンテーションソフトウェアは、スライド注釈アプリケーション（すなわち注釈ツール）の３つの異なるインスタンスと協力する。スライド注釈ツールは、プレゼンテーションスライド上に重ねることのできるグラフィックを作成する、ベクトルベースの描画ツールであってよい。注釈ツールのこれらのインスタンスのそれぞれは、別々のモニタ２１２、２３４、２３８に対応する。注釈ツールインスタンスの実行は、結果的に、別々のモニタ２１２、２３４、２３８のそれぞれに表示されている注釈ツールバーをもたらす。中央のモニタ２１２の注釈ツールに関連する注釈ツールバー６０８は、プレビューウィンドウ６０２の底部に描かれる。
【００５４】
このツールバーを用いて、発表者は、スライド６０４が左側もしくは右側のディスプレイ画面のいずれかに送られる前に、これに注釈をつけることができる。左側および右側のモニタ２３４および２３８のそれぞれは、自身の関連する注釈ツールおよび同様のツールバーを有する。
【００５５】
時計アイコン６０６は、発表者が時間枠を選択し、その時間枠における残り時間を示すカウントダウン画面を表示することを可能にするタイマーウィンドウを開く。この時間枠は、課題を終わらせるのに残された時間、もしくはプレゼンテーションにおける休止の終わりまでに残された時間を反映することができる。
【００５６】
図７は、図６に示すような例示的なトル注釈ツールバーを描写する。ツールバーのいろいろな機能は、適切なアイコンをタップする、もしくは選択することで、選択される。左から右へ、アイコンは以下のものを含む。
【００５７】
７０２：ツールバーの表示を展開もしくは収縮する非表示／表示ボタン。
７０４：テキストが表示されるべき場所でプレゼンテーションスライドをタップし、そこでテキストを入力するために（コンピュータ２０４の）キーボードを用いることにより用いられるテキスト機能。
【００５８】
７０６：好ましくはスタイラスもしくはその他の同様の用具を用いて、スライド上の描画を可能にするフリーハンドの描画ツール。
【００５９】
７０８：始点角を選択し終点角までドラッグして矩形を規定することを可能にする矩形描画機能。
【００６０】
７１０：矩形機能と同様であるが、規定された「境界」ボックスに楕円を描く楕円描画機能。
【００６１】
好適な実施形態において、矩形ツールおよび楕円ツールはどちらも、作成された形状が、任意のさらなるアイコンの選択を必要とすることなく入力されたテキストを有することができるように、テキスト入力機能を自動的に起動する。
【００６２】
７１２：線の始点および終点を選択することにより用いられる直線描画機能。
７１４：漫画のせりふ吹き出しに似たテキスト入力ボックスを作成する「呼び出し」機能。
【００６３】
７１６：透明な黄色で強調表示される矩形を画面上に作成する蛍光ペンツール。
７１８：プレゼンテーションスライドの所望の位置にインジケータを表示することを可能にするポインタツール。好適な実施形態において、インジケータは真っ赤な矢である。この矢は、発表者によってタップされたプレゼンテーションスライド上の任意の場所に動く。
【００６４】
７２０：プレゼンテーションスライドの部分を覆ってその表示を妨げる漸進的表示機能。画面を１度タップすると、開始垂直位置が設定され、続くタップのそれぞれによって、オーバーレイが再配置され、プレゼンテーションスライドのより多くが表示される。
【００６５】
７２２：プレゼンテーションスライド上の任意の注釈を消す消しゴムツール。
７２４：それぞれの注釈を逆順に削除する取り消し機能。
【００６６】
７２６：いろいろな色から将来の注釈操作のための色を選択する色選択ツール。
注釈は左側、右側、中央のモニタ上で、任意の特定の順番で行われることができる；したがって、好適な実施形態において、発表者がプレゼンテーションスライドから離れてナビゲートするときは常に、注釈は保存される。たとえば、スライド１３が右側のモニタ２３８に表示される間に、スライド１４は、左側のモニタ２３４に表示され、注釈を付されてもよい。発表者が右側のモニタ２３８に触れると、コンピュータ２０４のオペレーティングシステムは、焦点が右側のモニタ２３８に移ったことを検知し、任意のさらなる入力はモニタ２３８に関連する注釈ツールによって解釈される。プレゼンテーションソフトウェアはまた、先へ進む前に、スライド１４についての任意の現在の注釈を保存する。発表者がそこでスライド１４に戻る場合、スライド１３についての現在の注釈が保存され、さらなる入力は左側のモニタ２３４に関連する注釈ツールによって解釈される。
【００６７】
好適な実施形態において、それぞれの注釈ツールによって作成されたベクトルグラフィックファイルは、「Ｃ：￥ｃｏｕｒｓｅｓ」ディレクトリに格納される。たとえば、プレゼンテーションファイル４０９−Ｃｈ０５．ｐｐｔ内のスライドに注釈が作成されると、ディレクトリ４０９−Ｃｈ０５．ａｎｎが作成され、ファイル「ｘｘｘ」が実装できる。ここで「ｘｘｘ」はプレゼンテーションファイル内のスライドを意味する。
【００６８】
プレゼンテーションソフトウェアがプレビューウィンドウ６０２内のスライドを提示する時、これは、任意の注釈ファイルの存在を自動的に検索し、それによってスライドを自動的に拡大することができる。結果として、注釈ファイルは保存され、他のコンピュータに移動されて、第２のコンピュータに存在するプレゼンテーションスライドを用いる間にも、そのコンピュータからのプレゼンテーションを拡大することができる。また、注釈されたスライドの再表示は、スライドが元々注釈されたディスプレイ画面に依存しない。たとえば、右側のディスプレイ画面上に表示され注釈されるスライドは、後で表示するために再度呼び出され、左側のディスプレイ画面に送られてもよく、任意の前回の注釈が、左側のディスプレイ画面に、修正の必要なく表示される。
【００６９】
一時的に図６のインターフェイス画面６００に戻ると、２つの補足的なアイコン６２２と６４２がある。これらのアイコンはそれぞれ、空白のスライドを左側および右側のディスプレイ画面で開始する。次いでこの空白のスライドに、所望の注釈を付すことができる。好適な実施形態において、空白のスライドの名称を要求するダイアログボックスが現れ、提案されるデフォルトの名称を与えることもできる。新たに名称をつけられたスライドがお気に入りとして保存されていない場合、これは現在のプレゼンテーションの終了にあ
たって削除される。保存される場合、これは後ほど呼び出すことができる。同様に、個々のスライドを作成し、「Ｃ：￥ｃｏｕｒｓｅｓ」ディレクトリにコピーし、手動でお気に入りファイルに追加してもよい。このようにして、規定されたプレゼンテーションの間に、プレゼンテーションファイルを拡大するさらなる外部のスライドを、容易に選択および表示することができる。
【００７０】
プレゼンテーションシステムは、単一のドキュメントファイルフォーマットのみからの可視の内容を提示することに限定されない。プレゼンテーションシステムはたとえば、パワーポイント（登録商標）プレゼンテーションおよびアドビ（登録商標）アクロバット（登録商標）ＰＤＦファイルなどの、２つ以上の異なるドキュメントファイルフォーマットと連動することができる。好適な実施形態において、パワーポイント（登録商標）プレゼンテーションは、横長レイアウトで情報の画面を送るのに用いられ、一方アクロバット（登録商標）のファイルは、縦長レイアウトでページ作成された書類からの情報を表示する。
【００７１】
本実施形態によると、パワーポイント（登録商標）およびアクロバット（登録商標）のプレゼンテーションはどちらも、表示されている文書の各画面に関連する任意の注釈ファイルを組み込むことも含めて、プレゼンテーションシステムによって全く同じように扱うことができる。横長と縦長の文書の縦横比の差により、縦長モードのページ（たとえばアクロバット（登録商標）のページ）の３分の２のみが各画面およびプロジェクタに表示される場合がある。インターフェイス６００の「上昇」ボタン６２６、６３８は、アクロバット（登録商標）のページの下側３分の２が見えるようにするために用いられる。
【００７２】
「お気に入り」機構の機能および利点は、パワーポイント（登録商標）もしくはアクロバット（登録商標）の両方のフォーマットを保存され、任意のディスプレイ画面２１２、２３４、２３８への表示のために呼び出すことができるので、どちらのページにおいても同じである。
【００７３】
図１の例示的なリモートコントロール１０８が、図８に要素８００として詳細に示される。たとえば、リモートコントロール８００は、システム２００の他の構成要素によって用いられていない入力／出力ポートを用いて、コンピュータ２０４に接続することができる。リモートコントロールは、図６に示されるツール一式の全体を有する必要はないが、自動的にスライドを進めるボタン８０２；現在のプレビュースライドをスキップするボタン８０４；プレビュースライドを右側の画面に送信するボタン８０６；右側の画面を消去する／消去を元に戻すボタン８０８；左側の画面を消去する／消去を元に戻すボタン８１０；プレビュースライドを左側の画面に送信するボタン８１２、を含むことができる。
【００７４】
図９は、図１のシステム１００もしくは図２のシステム２００と比較して、代替的なプレゼンテーションシステム配置９００を描写する。しかし、システムのそれぞれには、前述の図面を参照して既に詳細に説明した多くの共通の構成要素がある。したがって、多様な配置の間の差をあいまいにしないために、各配置に共通しているこれら共通の特徴の詳細な説明は、図９を参照して繰り返されない。代わりに、多様な配置の間の差異を強調し、これらの差異の詳細な説明を提供する。
【００７５】
図９において、コンピュータ９０２は、他の構成要素によって用いられるデータフローおよびプレゼンテーション資料を制御する。このコンピュータ９０２は、トラックボール、キーボード（標準型もしくは小型の）、マウスなどの入力装置と連動する通信ポート９０４を含む。コンピュータ９０２は、ビデオポート９０８を介して、タッチ画面９１８上にグラフィカルユーザインターフェイスを提供し、発表者もしくはインストラクターがプレゼンテーションを制御するのを補助する。通信ポート９０６は、タッチ画面９１８から
、スタイラスによって提供されるようなフィードバックを受信する。
【００７６】
任意の従来のタッチ画面端末を用いることができるが、例示的なタッチ画面９１８は１８インチＷａｃｏｍ  Ｃｉｎｔｉｑコンピュータ支援設計端末である。この特定の端末は、ユーザが書き込みをしながら手をディスプレイ画面に置くことを可能にする独自のスタイラスを含む。この機能によって、注釈の正確さが改善される。
【００７７】
ビデオポート９１０および９１２は、右側および左側のプロジェクタ９２４、９２６上の表示のためのビデオ出力を提供する。先に説明したように、プレゼンテーションシステムは、ディスプレイ画面を、タッチ画面９１８に提供されるグラフィカルユーザインターフェイスを用いて、発表者の制御下で特定のプロジェクタに案内することにより、情報の電子ディスプレイを、交互に行う、もしくはその他の方法で、制御する。
【００７８】
他のビデオソース９２０が、プロジェクタ９２４もしくは９２６のいずれかに時折表示されるであろうから、ポート９１０および９１２からのビデオ出力は、コンピュータ９０２のポート９１４からの信号を介して制御されるビデオスイッチ９２２を介して送られる。したがって、グラフィカルユーザインターフェイスを用いてポート９１４からの制御信号を作成することで、発表者は、ソース９２０からの代わりのビデオ信号の選択および選択解除を制御するだけでなく、ビデオポート９１０および９１２からのスライドの案内を制御することができる。
【００７９】
ビデオスイッチ９２２が、単独のｎ×２ビデオスイッチ（すなわち、ｎの入力と２つの出力を有する）として描写されるが、一対の２×１スイッチなどのその他の構成を用いることもできる。あるいは、プロジェクタ９２４および９２６が複数入力ポートを有する場合、スイッチ９２２を省略してもよい。この代替において、ポート９１４からの制御信号は、適切なプロジェクタを直接制御して、選択された入力を表示するであろう。
【００８０】
図９のシステム９００と先に説明したシステムとの間の１つの重要な差異は、中央のディスプレイ１０４、左側および右側のディスプレイ１１０ａ、１１０ｂの代わりに、単一のタッチ画面９１８が用いられることである。この単純化に対応するために、コンピュータ９０２上で作動するプレゼンテーション制御ソフトウェアは、マルチウィンドウのタブ付けされた単一のタッチ画面９１８上のインターフェイスを用いる。
【００８１】
図１０は、図９の単独の画面の代替のための例示的なグラフィカルユーザインターフェイス１０００を描写する。インターフェイス１０００は、３つのサブウィンドウ１００６、１００８、１０１０を含む、メインのディスプレイ域１０２４を含む。中央のウィンドウ１００６は、左側もしくは右側のプロジェクタのいずれかに案内されるであろう現在のインストラクターの画面を表示する。左側のウィンドウ１００８は、現在表示されている左側のプロジェクタ画面を表示し、右側のウィンドウ１０１０は、現在表示されている右側のプロジェクタ画面を表示する。
【００８２】
インターフェイス１０００は、各側に沿った左側ツールバー１０２０および右側ツールバー１０２２のそれぞれに加えて、上面に沿ったアイコンツールバー１００４を含む。これらのツールバーは、発表者がたとえば、ページを一方もしくは他方の画面に案内すること、ページをスキップすること、空白のページを送信すること、ページをスクロールすること、ページ間でジャンプすること、代替のビデオソース（たとえばデモコンピュータ）を選択すること、「お気に入り」を保存もしくは選択することを可能にする、既に説明したような機能を提供する。インターフェイス１０００の上面に沿って、現在のインストラクターの画面１００６についての簡潔なノートを表示するメモリジョガーバー１００２がある。
【００８３】
インターフェイス１０００の底面に沿って、ディスプレイ域１０２４の３つのサブウィンドウのそれぞれに対応する３つのタブ１０１２〜１０１６がある。左側の画面タブ１０１２を用いて、ユーザは、注釈を付けるために左側のプロジェクタ画面を選択することができ、右側の画面タブ１０１０を用いて、ユーザは、注釈を付けるために右側のプロジェクタ画面を選択することができる。中心のタブ１０１４を用いて、ユーザは、図１０に示される合成のマルチウィンドウ画面１０２４に戻ることができる。
【００８４】
グラフィカルユーザインターフェイス１０００は、通信ポート９０６を介してコンピュータ９０２にフィードバックを提供するタッチ画面ディスプレイ９１８上に表示される。注釈およびツールバーの選択を、合成画面１０２４から行うことができる；しかし、現在のディスプレイ画面１００８、１０１０の一方を選択することによって、任意の注釈に関するよりよい制御が可能になる。ディスプレイ画面の一方は、適切なタブ（１０１２もしくは１０１６）を用いることで、もしくは単に、入力装置９１６の一方を用いてウィンドウ（１００８もしくは１０１０）の一方を選択することで、選択することができる。
【００８５】
図１１は、左側画面１００８（たとえば）が注釈のために一旦選択された、グラフィカルユーザインターフェイス１０００の例示的なスナップショット１１００を描写する。図１１に示されるように、画面タブ１０１２〜１０１６は、スナップショット１１００の底面に残り、左側画面サイドツールバー１０２０は、スナップショット１１００の左側サイドに残る。しかし、合成画面１０２４の代わりに、現在の左側のプロジェクタ画面１００８が、ディスプレイ域をほぼ占めるように表示される。スナップショット１１００の上面に沿って、現在の左側のプロジェクタ画面のメモリジョガー域１１０２があり、スナップショット１１００の底面の近くに、注釈ツールバー１１０４がある。注釈ツールバーの詳細は、図７を参照して先に説明しており、そのアイコンは、現在表示されている画面に注釈を付すことを単純化するツールおよび機能を提供する。これらの注釈は、システム９００を用いて提供されるプレゼンテーションの動的性質を強化するために、プレゼンテーションの間にリアルタイムで現れる。
【００８６】
スナップショット１１００およびインターフェイス１０００のレイアウトは、本来、例示的なものである。もちろん、その他の機能的に同等のツールバー、画面レイアウト、アイコンラベル、および機能が、本発明のさらなる実施形態の中に意図される。
【００８７】
図９から１２に示される代替のプレゼンテーションシステムにおいて利用可能であるツールおよび設備と、図１から８を参照して記載され、説明されるそれらの間には、多くの類似点がある。しかし、代替の配置において、３つのビデオ出力を制御するために好ましくは１つのタッチ画面がある。したがって、発表者は、３つの別々のタッチ画面に注釈するよりもむしろ、タッチ画面上の画像から画像に切り替える。
【００８８】
このシステムの一般的な使用は、「チャプター」ボタンを選択し、プレゼンテーションのため複合画面のチャプターをロードすることでスタートする。インストラクターの画面をプレゼンテーションアプリケーションの制御インターフェイスとして利用しながら、ページは、ツールバーの左ボタンと右ボタンを用いて、交互に左側および右側に送信される。あるいは、画面がプレゼンテーションのためにどのように案内されるかを自動的に制御するデフォルトのプリファレンスを格納することができる。特定の投影された画像に注釈するために、図１０のインストラクター画面インターフェイスに見られる小さなディスプレイウィンドウで注釈ツールを用いることができる。あるいは、発表者が、現在のプロジェクタ画面のうちの１つを（ウィンドウをクリックすることにより、もしくはタブボタンを用いることにより）選択する場合、対応する左側もしくは右側の画面の画像が、図１１に示されるように、タッチ画面域をほぼ占めるように拡大される。これにより、注釈は、
拡大されたウィンドウに、より正確に適用される。一旦、任意の注釈が完成されると、「インストラクター画面」のタブをクリックすることで、プレゼンテーションを続けることができるように、合成の、マルチウィンドウのインストラクター画面が再び現れる。
【００８９】
図１２、１３、１４は、図１のマルチディスプレイ環境もしくは図９のシングル画面ディスプレイ環境において用いることのできる「ズーム」機能を図解する。どちらの環境においても機能が実質的に同じであるので、図１２〜１４に描写される例示的な実施形態は、単にシングル画面ディスプレイ環境のものである。左側および右側の画面に表示される複合スライドを含む、先に説明された筋書きに加え、ズーム機能は、単一のスライドを異なる方法で、右側および左側の画面の両方に表示することを可能にする。
【００９０】
図１２は、画面の底面にタブ１２１０によって示される、インストラクター画面の画面ビューを描写する。既に説明したように、この画面は、次のスライド１２０４と、右側の画面に表示されているもののコピー１２０６と、左側の画面に表示されているもののコピー１２０８とを表示する。
【００９１】
スプリット画面モードとして知られる、図１２に描写される特定の状況において、現在のスライドは、左側と右側の両方の画面に表示される。たとえば、ウィンドウ１２０８が現在のスライドの下部を示す一方で、ウィンドウ１２０６は、現在のスライドの上部を示す。両方のウィンドウに現れる、いくらかの重なる部分１２１２があり、この部分１２１２は、影を付けるか、もしくはその他の方法で視覚的に識別することができ、この情報が両方のウィンドウにあることを観察者が認識するのを助ける。
【００９２】
発表者は、現在のスライドがどのように表示されるかのさらなる制御を可能にする「ズーム」ツール１２０２を利用することができる。図１３は、一旦ズームツール１２０２が選択されると、ディスプレイウィンドウがいかに変化するかを描写する。ウィンドウ１２０４が同じままである一方、ディスプレイウィンドウ１３０４および１３０２はその挙動を変化させる。
【００９３】
右側のウィンドウ１３０２において、右側のスライドディスプレイ画面に表示されて、現在のスライドの全体が示される。好適な実施形態において、左側のディスプレイ画面は空白である。しかし、左側のウィンドウ１３０４は、たとえば「ズームイン」を可能にするべくスライドの部分を選択するべきであると示唆する、発表者にとって有用なインストラクションを含むことができる。実際には、発表者は次に選択ツール１３０６を用いて、ウィンドウ１３０２に表示されるスライドの部分を選択するであろう。このツールは、多くのコンピュータユーザにとってなじみ深いクリックアンドドラッグ操作を用いることが好ましい。さらに、他の実施形態において、異なるスライドが左側と右側の画面に表示されることがある。いずれかの画面にズームツールを用いることにより、反対側の投影される画像は、選択された域のズームされたコピーで置き換えられるようになる。
【００９４】
図１４は、一旦、スライド１４０２の部分１４０４がツール１３０６を用いて選択されると、いかにウィンドウが変化するかを描写する。とりわけ、左側のディスプレイ画面はもはや空白ではなく、左側ウィンドウ１４０６に示されるように、スライドの「ズームイン」部分を表示する。ウィンドウ１４０２におけるスライドの表示はまた、選択された部分１４０４を強調表示するシェーディングなどの、いくつかの視覚的キューを含むように変化する。ウィンドウ１２０４は、プレゼンテーションにおける次のスライドを示し続ける。
【００９５】
注釈については、左側ウィンドウ１４０６および右側ウィンドウ１４０２の両方に、先に説明したツールおよび方法を用いて注釈を付すことができる。図１５は、前の実施形態
においてまだ説明されていない特徴を含む本発明の１実施形態のスクリーンショットを図解する。
【００９６】
プレゼンテーション制御インターフェイスの前のスクリーンショットと同様に、図１５は、それぞれ左側および右側のプロジェクタ画面に現在表示されているスライドを表示するサブウィンドウ１５０４、１５０８に加えて、プレゼンテーションにおける次のスライドを表示するサブウィンドウ１５０６を含む。
【００９７】
プレゼンテーションの間、発表者は、スライドの中のエラーもしくはその他の不適切な内容に気づくことがある。さらに発表者は、視聴者のフィードバックから、スライドに加えてもよいさらなる情報について知ることができる。これらの場合において、ここに説明されるプレゼンテーションシステムおよび方法は、プレゼンテーションの間に、修正が必要であるとスライドにマークするツール１５０２を提供する。
【００９８】
プレゼンテーションにおいてスライドがまだ表示されている間に、発表者は、注釈ツールを用いて、ウィンドウ１５０８には描写されるが、視聴者が見るディスプレイ画面には描写されないことが好ましい注釈１５１０ａ、１５１０ｂを作成することができる。あるいは、発表者は、後で修正するために、単にツール１５０２上でクリックしてスライドをマークすることができる。スライドがマークされた後、プレゼンテーションを最後まで続けることができる。インストラクターはそこで、スライドを見直し、より都合の良い時に、マークされた任意のスライドに注釈することができる。どのスライドがツール１５０２を用いてマークされたかを発表者が認識するのを補助するために、このようなスライドのそれぞれに、視覚的なインジケータ１５１２を追加することができる。
【００９９】
プレゼンテーション制御インターフェイスが動作しているコンピュータシステム（たとえば９０２）がネットワークに接続される場合、発表者によってマークされ注釈されたスライドは、他の個人に容易に転送され、スライドの訂正もしくは更新を行うことができる。好適な実施形態において、プレゼンテーション制御システムは、最近注釈されたスライドを自動的に見つけ、それらを更新のために転送することができる。
【０１００】
スクリーンショット１５００のその他の特徴に、タイムライン追跡インジケータ１５１４がある。このインジケータ１５１４は、現在のプレゼンテーションがプリセットされたタイムラインと比較していかに進行しているかの目安を表示する。発表者がプレゼンテーションの間に所定のスケジュールを維持することを助けるために、各スライドは、プレゼンテーションの間、スライドが好ましくはどれだけの長さ表示されるべきであるかを示す、関連するメタ情報を有することができる。先に論じたように、各スライドは、画面プリファレンスおよびメモリジョガーテキストなどの関連のメタデータを有することができる。ここに説明するタイミングメタ情報は、発表者が、プレゼンテーションの予期されるタイムラインにいかに綿密に従っているかを確認するのに用いられる。このようなメタデータは、発表者の時間管理を助けるために表示されるため、発表者のスライドの画像上に表示することができる。
【０１０１】
図１６の論理フローダイアグラムは、発表者にタイムライン情報を提供するための例示的な方法を描写する。一旦プレゼンテーションがスタートすると、時計もしくはタイマーがステップ１６０２においてスタートされる。次にステップ１６０４においてプレゼンテーションのためにスライドが検索され、ステップ１６０６において、そのスライドがプレゼンテーションの間のいつ表示されるべきであるかについての、スライドのタイミング情報が抽出される。最終的に、ステップ１６０８において、発表者はスライドを視聴者に表示するであろう。この時点で、動作中の時計もしくはタイマーに基づいてこの特定のスライドがいつ表示されたかを示すタイムスタンプが作成される。プレゼンテーションについ
て関連するタイミングメタ情報が見つからない場合、システムは、エラーメッセージを作成したり、もしくはその他の方法でプレゼンテーションに影響を及ぼしたりすることなく、単に、各スライドについてデフォルトの時間を用いることができる。
【０１０２】
ステップ１６１０において、プレゼンテーションのスタートから経過した時間（すなわち、前ステップからのタイムスタンプ）が、スライドが表示されるべきであった予期された時間と比較される。この比較をおこなうために、多数の代案が意図される。たとえば、各スライドは、プレゼンテーションの間に、どのくらい長くこれが表示されるべきであるかを示すメタ情報を有することができる。この場合、スライドの予期される表示時間は単に、先の全てのスライドの「表示時間」の和である。あるいは、メタ情報は、プレゼンテーションのスタートに対するポイントインタイム（たとえば、５：１５分）であってもよい。この場合、予期された表示時間ははっきりと特定され、先のスライドについての情報を用いて計算する必要がない。スライドが提示される場合およびそれが提示される必要があった場合に追跡を行うその他の機能的に同等の方法も、本発明によって意図される。
【０１０３】
ステップ１６１２において、タイムスタンプ情報（ステップ１６０８を参照のこと）が、プレゼンテーションの進行を発生とともに記録するために、遠隔的、もしくは局所的にログファイルに格納される。スライドがスキップされると、このログファイルは、関連するタイムスタンプよりむしろ、好ましくはこのような注釈を含むことができる。
【０１０４】
ステップ１６１０で生じる比較のインジケータは、ステップ１６１６において発表者に表示することができる。図１５に示されるように、現在のプレゼンテーションについてのタイミング情報を示す計測器１５１４が、発表者のために、インターフェイス１５００上に提供される。このタイミング情報は、多様な同等のグラフィカルフォーマットで表示することができるが、図１５は１つの例示的なディスプレイインジケータ１５１４を描写する。この例において、タイムバーは、スケジュールより遅れていることを示す領域１５１６（赤であってよい）、ほぼスケジュール通りであることを示す中央領域１５１７（黒であってよい）、およびスケジュールより進んでいることを示す別の領域（緑であってよい）を含む。所定のスケジュールに対していかにプレゼンテーションが進んでいるかによって、タイムバーの適切な領域１５１６、１５１７、１５１８に重なるバー１５１９もまた存在する。図示されるように、「２分進んでいる」というテキストもまた、発表者に対してさらに具体的にタイムライン情報を示すために存在してもよい。
【０１０５】
プレゼンテーションにもっとスライドがある場合、次のスライドを検索することができるように、ステップ１６１８における決定は、論理フローをステップ１６０４に戻す。しかしプレゼンテーションが一旦終わると、ログファイルなどの蓄積されたタイムスタンプ情報は、さらに解析されてもよい。たとえば、ログファイルはステップ１６１４において、プレゼンテーションがいかに綿密に所定のタイムラインに従ったかを確認するために、離れた位置に自動的に転送されてもよい。こうしてヒストリカルデータが集められて、発表者の適合度を評価したり、もしくは所定のタイムラインを調整するような働きを可能にしたりすることができる。
【０１０６】
さらに、「ツール」メニューバーは、より詳細な情報を発表者に提供する、タイムラインに関する情報についてのオプションを含んでもよい。たとえば、１つのオプションは、プレゼンテーションにおける残っている全てのスライドのリストを、予期される表示時間に沿って表示することであろう。別のオプションは、プレゼンテーションに付随する課題のリスト、および、残り時間および残りのスライドに基づいて、発表者がどれだけの時間を実地の課題に割り当てることができるかという計算を表示することであろう。
【０１０７】
スタイラス１５２０、もしくは蛍光ペンツールは、一般的に発表者によって用いられ、
プレゼンテーションの間、スライドの部分を強調表示する。スタイラス１５２０が選択された後の操作は通常、コンピュータ９０２（図９参照）に付加されたマウスもしくはその他の入力装置を用いて行われる。このような入力装置に加え、ワイヤレス技術における最近の進歩により、さらなるマウスもしくはその他の入力装置がコンピュータ９０２から離れて位置することが可能である。たとえば、発表者は、コンピュータ９０２の任意のインターフェイスポートとのインターフェイスを介して、スタイラス１５２０を制御する手持ち式の入力装置を携行することができる。このようにして、発表者は、コンピュータ９０２のキーボードから物理的に離れた別の場所に位置しながら、スライドを強調表示し、もしくは他の方法で注釈することができる。
【０１０８】
既に説明したシステムの機能に加え、本発明の別の実施形態もまた意図される。これらの実施形態のいくつかは、説明したシステムを用いて発表者が利用可能であるさらなるツールおよび特徴を含む。たとえば、図１７は、図１０を参照して既に説明したものと同様であるが、さらなる、もしくは別のインターフェイス要素を含むインターフェイス画面１７００を描写する。既に詳細に説明したこれらのインターフェイス要素は、インターフェイス画面１７００のさらなる特徴をあいまいにしないために、以下にさらには論じない。
【０１０９】
この例示的な画面１７００において、ナビゲーションメニューバー１７０２および注釈メニューバー１７０４が、画面１７００の上面近くに配置される。これらのメニューバーはそれぞれ、先に説明したように、ユーザがスライドプレゼンテーションを制御し、スライドの内容を編集することを可能にする。さらに、これらのメニューバーは、後でより詳細に説明するその他のツールを含む。
【０１１０】
既に説明したインターフェイス画面と同様、インターフェイス画面１７００は、プレビューウィンドウ１７０６、左側画面ウィンドウ１７０８、右側画面ウィンドウ１７１０を含む。同様にこの画面１７００に表示されるのは、チャプターウィンドウ１７１２およびスライドウィンドウ１７１４である。いくつかの実施形態によると、チャプターウィンドウ１７１２は、提示されている現在のコースに含まれるチャプターもしくはモジュールをリストアップする。発表者を支援するために、現在のチャプターは、ウィンドウ１７１２に示されるように、強調表示されるか、もしくは他の方法で視覚的に示されてもよい。スライドウィンドウ１７１４は、現在のチャプターに含まれ、プレビューウィンドウ１７０６の現在のスライドがどれであるかを示す視覚的な目安を含むことのある、スライドの順に並べられたリストを示す。
【０１１１】
チャプターウィンドウ１７１２は、スライドウィンドウ１７１４の外観が発表者の動作によって変動するであろう間、常にインターフェイス画面１７００に表示されることが好ましい。たとえば、発表者は、お気に入りのリストを表示する、もしくは開くことができるファイルを表示するツールを、ナビゲーションメニューバー１７０２から選択することがある。そのような場合、異なるリストはスライドウィンドウ１７１４の上面に重なるであろうし、もしくは単に、ディスプレイ画面１７００上のスライドウィンドウ１７１４を置き換えるであろう。発表者が表示したいと望むであろうファイルの一例は、ＰＤＦファイルである。本発明の実施形態により、発表者は、ＰＤＦ文書を開き、それらをいずれかのウィンドウに表示することが可能である。たとえば、プレゼンテーションは、お気に入りリストからの異なるＰＤＦファイルが右側ディスプレイウィンドウ１７１０に表示するために選択される間、左側ディスプレイウィンドウ１７０８に表示されているＰＤＦファイルを含むことができる。もちろん、その他のファイルのフォーマットもまた、同様に２つのディスプレイウィンドウに表示することができる。
【０１１２】
先に説明されたように、発表者は、プレビューウィンドウ１７０６からのスライドを左側ディスプレイウィンドウ１７０８もしくは右側ディスプレイウィンドウ１７１０のいず
れかに送信することにより、プレゼンテーションを制御する。発表者が両方のディスプレイウィンドウ１７０８、１７１０に、プレビューウィンドウ１７０６にあるものを表示したいと思う場合があるであろう。したがって、発表者がプレビューウィンドウ１７０６のスライドを、容易に、左側ディスプレイウィンドウ１７０８と右側ディスプレイウィンドウ１７１０の両方に同時に送信することを可能にするツール１７２８が、ナビゲーションツールバー１７０２に提供される。
【０１１３】
３つの異なるウィンドウ１７０６〜１７１０に伴うべく、インターフェイス画面１７００の周囲に、発表者がプレゼンテーションの多様なスライドをさらに操作することを可能にする３つの異なる領域がある。これらの範囲もしくは領域の配置は、画面１７００内のさまざまなディスプレイウィンドウに対応する。たとえば、領域１７１６はプレビューウィンドウ１７０６に対応し、領域１７１８は左側画面ウィンドウ１７０８に対応し、領域１７２０は右側画面ウィンドウ１７１０に対応する。先に説明したように、これらの領域で利用可能なインターフェイス要素により、発表者は、対応するディスプレイ画面上に空白ページを作成すること、画面を消灯すること、スライドの異なる部分を見せること、スライドをお気に入りリストに加えること、などが可能になる。さらに、各領域は、スライドにエラーもしくは「バグ」を有するとマークするインターフェイス要素を含む。例示的な画面１７００によると、プレビュースライドのための領域１７１６は、エラーを有するスライドにマークする、それ自身のインターフェイス要素１７３８を含む。この要素１７３８により、発表者は、スライドが左側もしくは右側の画面に送信される前に、これにエラーを有するとフラッグ付けすることが可能になる；これにより、スライドを右側もしくは左側の画面に送信し、これらにエラーを有するとフラッグ付けすることにより生じるであろう、プレゼンテーションのいかなる中断も最小になる。
【０１１４】
エラーを有するとマークされることができるスライドと連動して、ナビゲーションツールバー１７０２は、エラーを有するとしてマークされたスライドのリストを表示することを可能にする要素１７３６をさらに含む。発表者がこのメニュー要素１７３６を選択する時、図１８のものと同様の画面が、インターフェイス画面１７００内に表示される。画面１８０２は、エラーを含む、もしくは修正する必要があるスライドを開いてリストアップするセパレートウィンドウであることが好ましい。
【０１１５】
プレビューウィンドウ１７０６のスライドに、エラーを有するとしてフラッグ付けすることに加え、発表者はまた、プレビューウィンドウ１７０６のスライドに注釈することができる。ここで、先に説明したタッチ画面技術によると、発表者は、システムの焦点をプレビューウィンドウ１７０６に変更する多様な入力方法を有する。一旦このウィンドウが選択されると、注釈メニューバー１７０４の要素は、適切なスライドに注釈を付けるために用いることができる。したがって、既に説明したように、発表者はスライドを画面に送信し、視聴者を考慮してそれに注釈を加えることを続けることができ、あるいは、スライドがプレビューウィンドウ１７０６にある間に注釈を加え、ディスプレイ画面に送ることができる。さらに、ディスプレイウィンドウの１つに送信される既に注釈されたスライドもまた、視聴者を考慮してさらに注釈を加えることができる。
【０１１６】
発表者にとって有用である一連の注釈ツールは、図１７のツールバー１７０４に示される「矢印」ツール１７４０、１７４２である。発表者は、ツール１７４０、１７４２の一方を選択し、左側もしくは右側ディスプレイ画面１７０８、１７１０のいずれかにカーソルを動かす。カーソルが適切なディスプレイ画面の周囲を動くと、提示されているスライドの特定の部分に、ポインタのように挙動して視聴者の注意を引く矢印が表示される。スライドのレイアウトおよび興味のあるアイテムにより、発表者は、所与の状況において左側を指す矢印１７４０もしくは右側を指す矢印１７４２のどちらがより効果的であるかに基づき、いずれかを選択することができる。いくつかの実施形態において、矢印は、カー
ソルの動きと共に動く；もしくは、別の実施形態において、発表者は、表示されるスライドの部分をクリックして矢印をスライド上に固定することができる。後者の実施形態において、一旦１つの矢印がスライド上に固定されると、さらなる矢印ツールを選択し、利用することができる。
【０１１７】
スライドの特定の範囲に注意を引くことを可能にする、発表者が利用可能な他の有用な一連のツールは、注釈メニューバー１７０４の２つの強調表示ツール１７３２、１７３４である。図２２の例示的なスライドは、２つの異なる強調表示ツールの間の差異を描写する。領域２２０２は、マーキー蛍光ペン１７３２がスライドの選択された部分をいかに強調表示するかを示し、一方、領域２２０４は、チゼルポイントの蛍光ペン１７３４を用いて可能になるさらに自由な形状の強調表示をする特質を描写する。図示されるように、いずれのツールも、発表者が、スライドの特定の部分をいかに強調表示したいかにより、同じスライド上で利用することができる。
【０１１８】
図２３は、他の注釈ツールの使用を図解する。矢印ツール１７３０は、スライド２３０２上に矢印２３０６を引くことにより、発表者がスライド（３つのウィンドウのうちの任意のもの）に注釈することを可能にする。１実施形態によると、矢印の太さと矢じりは固定されている。あるいは、デフォルトの線幅と矢じりサイズを自動的に提供してもよく、発表者がこれらのパラメータを調整して、ツール１７３０を用いて引かれる矢印の外観を制御することができる。先に説明した線引きツール７１２と同じく、発表者は線の始点と終点を選択するが、この場合、終点はスライド上に矢じりを有して表示される。さらに、一旦矢印（たとえば２３０８）が完成すると、発表者はテキストのタイピングを始めることができ、自動的にツールがテキストボックスを開き、テキストが矢印２３０８の近くに位置するボックス２３０４内に表示されるようになる。
【０１１９】
一旦スライドが注釈されると、注釈の操作が必要とされる場合があり、発表者がスライドへの注釈を管理するのを補助するさまざまなツールが提供される。たとえば、ツール１７２６は、スライド上の１つ以上の注釈を選択するのに用いられるであろう。たとえば、ツール１７２６はなじみのあるクリックアンドドラッグの方法で用いることができ、選択される注釈の周囲に多角形を描写することができ、もしくは、ツール１７２６は本質的により自由な形状であり、選択された注釈を囲むイレギュラーな形状を、ユーザが描写することを可能にする。注釈は一旦選択されると、動かしたり削除したりすることによって、一斉に操作することができる。他の例では、注釈はツール１７２６を用いて選択され、たとえばスライド上のテキストボックスの注釈内のテキストを編集することにより変更される。注釈が、１度に１つもしくは集合的に削除されるか編集されるかにかかわらず、繰り返しツール１７４４は、発表者が削除もしくは編集の逆順にバックアノテーションを加えることを可能にする。したがって、注釈およびそれらの削除のヒストリーは、繰り返しツール１７４４の各選択によって直前に削除された注釈が継続的に復元されるように、システムによって維持される。
【０１２０】
図１７を再び参照すると、チャプターウィンドウ１７１２の真下は、現在のチャプターに関するさらなる情報を任意で提供する付随領域１７２２である。たとえば、この領域１７２２は、図示されるように、プレゼンテーションの間にチャプターが提示される時および、プレゼンテーションの間にチャプターが終了されるべき時についての、提案される時間を示すことができる。これらの提案される時間は、「時間」および「分」情報のみならず、プレゼンテーションが複数日続くように予定されている場合は、「日」情報も含むことができる。この情報をさらに補強するべく、選択された場合に全てのチャプターについての時間情報を表示するリンクが提供されることがある。たとえば、図２５の例示的な画面は、各チャプターおよびその予定されたプレゼンテーション時間をリストアップするウィンドウ２５００を含む。多様な詳細もまた、同時に表示することができる。例示したウ
ィンドウ２５００において、チャプターはさらに、各チャプターのサブ部分（たとえば課題）もまた、それらの関連する時間枠から分離されてリストアップされるように、サブ部分に線引きされる。当業者は、本発明の範囲から逸脱することなく、多くの異なるフォーマットおよび詳細レベルを、発表者の利益のために表示できることを認識するであろう。
【０１２１】
プレゼンテーションのタイミングは、モニタに対する重要な特長である場合があるため、発表者を支援するために、時間に関するさらなるツールが、本発明の実施形態の中に含まれる。たとえば、図２４の例示的な画面２４００は、特定のプレゼンテーションの部分がどれだけ長いのかを表示するオーバーレイウィンドウ２４０２を含む。この例において、視聴者が課題を行う間に発表者が表示することのできる課題スライド２４００（左側ディスプレイ画面、右側ディスプレイ画面、もしくはその両方に表示される）が示される。オーバーレイウィンドウ２４０２は、課題の長さを表示して、発表者がその情報を覚えておくのを助ける。オーバーレイ画面２４０２は、視聴者が実際に見るディスプレイ画面上で可視であってもよいが、好適な実施形態において、オーバーレイ画面２４０２は、発表者によって用いられているタッチディスプレイ画面上でのみ可視である。
【０１２２】
ナビゲーションメニューバー１７０２のタイマーツール１７２４も、発表者が利用可能である別の有用なツールである。タイマー１７２４の選択により、図２６に示すように、画面２６００が発表者のシステム上で開く。画面２６００は、発表者がタイマーをセットし監視することを可能にする。
例示的な情報は、現在の時間、タイマーの終点、残り時間をカウントダウンする動的に変化するディスプレイなどのアイテムを含む。画面２６０２はまた、タイマー変数を変更し、もしくは再セットすることを可能にする要素２６０４および、タイマーが左側、右側、もしくは両方のディスプレイ画面に送信されることを可能にする要素２６０２を含む。
【０１２３】
図２０は、図１１を参照して説明されたものと比較して、別のフルページディスプレイ画面２０００を描写する。多くの点において同様であるが（たとえば、画面の底面でのタブ２００２の挙動など）、別のディスプレイ画面２０００は、ナビゲーションツールバー１７０２および注釈ツールバー１７０４が画面２０００の上面に残り、さらなるツール領域１７０２が画面２０００の右側部分に現れる点で、異なっている。左側の画面タブが選択された場合、さらなるツール領域が画面の左側部分に現れる。これらの要素１７０２、１７０４、１７２０の位置づけおよび配置は、図１７の例示的な画面１７００のそれとほぼ同じである。したがって、発表者は、フル画面モードもしくはマルチ画面モードのいずれで作業するかに関わらず、なじみ深いユーザインターフェイスを備えられる。
【０１２４】
先に説明したように、スライド上の他の情報によってあいまいにされることなく、情報を描く、もしくは書く方法を発表者に提供するべく、プレゼンテーションの間に空白のスライドを作成することができる。図２１は、タイトル領域２１０２および編集可能な領域２１０４を有する空白スライド２１００を開く、本発明の１実施形態の特徴を描写する。編集可能な領域２１０４において、テキストもしくは描画を、先に説明した注釈ツールを用いて追加することができる。しかし、この実施形態によると、タイトル領域２１０２は、発表者が空白スライドに意味のあるラベルを用いて名前をつけることを可能にする。発表者が空白ページを開く時、発表者が空白ページに名前を打ち込むことができるように、カーソルがタイトル領域２１０２に位置することが好ましい。発表者がカーソルを編集可能な領域２１０４に直接動かす時、デフォルトの名前案（たとえばシート１、シート２）を、空白ページに名前をつけるために用いることができるが、発表者は、カーソルをタイトル領域２１０２に戻して、その情報を編集する機会を持ち続ける。編集された空白ページの情報を保存するための多数の代案が存在する。１つの例は、空白ページをお気に入りとして保存し、それによりタイトル領域２１０２内のテキストをお気に入りリスト内に見つけること、および発表者が選択することを可能にする。別の例では、編集された空白ペ
ージは、ＧＩＦファイルもしくは業界標準の文書フォーマットなどその他のプログラムフォーマットに保存される。さらなる例では、編集された空白ページは、他のプレゼンテーションの間にも検索できるように、プレゼンテーションシステムのネイティブなフォーマットで保存される。
【０１２５】
ここに説明したいくつかの実施形態において、プレゼンテーションにおけるスライドおよび情報の操作によって、スライドはそれらに関連するさらなる情報を有するようになる。たとえば、注釈情報は、各スライドに関連する。どのスライドがチャプターの中で直前にアクセスされたスライドであったかなどの情報も、同様に保持される。図１９は、チャプターのスライドにわたる発表者によるさらなる制御を可能にする画面１９０２を描写する。とりわけ、チャプターのリセットを可能にするボタン１９０４が提供される。この特徴を用いて、発表者は、各スライドを開いて手動で注釈を削除する必要なく、チャプター内の全てのスライドから一度に注釈を削除することができる。さらに、チャプターをリセットすることで、発表者は、チャプターが後で開かれる時に、そのチャプターから直前にアクセスされたページではなく、そのチャプターの最初のページが確実に提示されるようにすることができる。この画面１９０２へのアクセスは、多数の異なる方法で提供され得るが、メインナビゲーションメニューバー１７０２上で利用可能なメニューアイテム（ツールなど）のうちの１つの下にあるオプションを通じて提供されることが好ましい。
【０１２６】
本発明の特定の実施形態を開示したが、添付の請求項の真の精神および範囲内で、多様な異なる修正が可能であり、意図されることが理解されるべきである。したがって、ここに示す要約もしくは開示そのものに限定する意図はない。
【図面の簡単な説明】
【０１２７】
【図１】本発明の１実施形態にしたがった例示的なプレゼンテーションシステムを図解する。
【図２】本発明の別の実施形態にしたがった例示的なプレゼンテーションシステムを図解する。
【図３】図２の実施形態にしたがったプレゼンテーションシステムにおいて有用なさらなる接続を図解する。
【図４】本発明の１実施形態にしたがった例示的なコンピュータのリヤパネルコネクタを図解する。
【図５】本発明の１実施形態にしたがった例示的なプレゼンテーション方法の論理フローチャートを描写する。
【図６】本発明の１実施形態にしたがったプレゼンテーションアプリケーションインターフェイスの例示的なスクリーンショットを図解する。
【図７】本発明の１実施形態にしたがったタッチ画面モニタについての注釈アプリケーションの例示的なツールバーを図解する。
【図８】本発明の１実施形態にしたがった例示的なリモートコントロールを図解する。
【図９】単一のタッチ画面ディスプレイを実装する例示的なプレゼンテーションシステムを図解する。
【図１０】図９の実施形態にしたがった例示的なマルチウィンドウインターフェイスを図解する。
【図１１】図９の実施形態にしたがった例示的な注釈画面インターフェイスを図解する。
【図１２】本発明の１実施形態にしたがったプレゼンテーションスライドを表示する例示的なスプリット画面モードを図解する。
【図１３】本発明の１実施形態にしたがったプレゼンテーションスライドを表示する例示的なズームモードを図解する。
【図１４】プレゼンテーションスライドの部分が拡大のために選択された後の、図１３のズームモードディスプレイを図解する。
【図１５】本発明の別の実施形態にしたがった例示的なプレゼンテーション制御インターフェイススクリーンショットを図解する。
【図１６】本発明の１実施形態にしたがったタイムライン情報を追跡する例示的な論理フローチャートを図解する。
【図１７】本発明の１実施形態にしたがった別の例示的なマルチウィンドウインターフェイス画面を図解する。
【図１８】エラーを含む複合スライドについての情報をリストアップする例示的なディスプレイ画面を図解する。
【図１９】本発明の原則にしたがってプレゼンテーションのチャプターに関連するオプションを操作する例示的なインターフェイス画面を図解する。
【図２０】図１７に描写された本発明の実施形態にしたがった例示的なフル画面インターフェイスディスプレイを図解する。
【図２１】本発明の原則にしたがったタイトル部分および編集可能な領域を含む例示的な黒色の画面を図解する。
【図２２】本発明の１実施形態にしたがった２つの異なるタイプの強調表示された領域を有する例示的なスライドを図解する。
【図２３】本発明の実施形態において利用可能である、異なる注釈機能を有する例示的なスライドを図解する。
【図２４】本発明の実施形態において利用可能である、異なる注釈機能を有する例示的なスライドを図解する。
【図２５】本発明の１実施形態にしたがった、プレゼンテーションについての時間に関連した情報を表示する、例示的なインターフェイス画面を図解する。
【図２６】本発明の原則にしたがった例示的なタイマー画面を図解する。
【図１】
2008507776.tif 000003
【図２】
2008507776.tif 000004
【図３】
2008507776.tif 000005
【図４】
2008507776.tif 000006
【図５】
2008507776.tif 000007
【図６】
2008507776.tif 000008
【図７】
2008507776.tif 000009
【図８】
2008507776.tif 000010
【図９】
2008507776.tif 000011
【図１０】
2008507776.tif 000012
【図１１】
2008507776.tif 000013
【図１２】
2008507776.tif 000014
【図１３】
2008507776.tif 000015
【図１４】
2008507776.tif 000016
【図１５】
2008507776.tif 000017
【図１６】
2008507776.tif 000018
【図１７】
2008507776.tif 000019
【図１８】
2008507776.tif 000020
【図１９】
2008507776.tif 000021
【図２０】
2008507776.tif 000022
【図２１】
2008507776.tif 000023
【図２２】
2008507776.tif 000024
【図２３】
2008507776.tif 000025
【図２４】
2008507776.tif 000026
【図２５】
2008507776.tif 000027
【図２６】
2008507776.tif 000028
【国際調査報告】
2008507776.tif 000029
2008507776.tif 000030